(57)【要約】      （修正有）【課題】帽子もしくは、二輪車用ハンドルカバー等季節或いは天候によって要否が変化する異なる機能の身体防護用品を一体でコンパクトに押し畳んで所持或いは常備し易くした身体防護用品を提供する。【解決手段】ヘッド部の両端対称に穴ｄ、ｄ′が形成された複数枚のシート材１〜６を配置し、別製の接合用シート材７を用いて一枚のシート状に形成し、一端をつばに接合し、更に両端の穴と穴を重ね合わせ、ひも材ｆ１、ｆ２を通し、つばの端に粘着させた身体防護用品を形成する。【選択図】図１
0003178470.tif 000002
【実用新案登録請求の範囲】
【請求項１】
形状を、復元可能なつづら状押し畳み形態によって、サンバイザー機能付き帽子或いは二輪車用ハンドルカバーを所望に応じて造形することが可能な機能を特徴とする身体防護用品。
【考案の詳細な説明】
【技術分野】
【０００１】  本考案は、季節或いは天候の状況に対応する身体防護用品に関するものであり、詳しくは、必要に応じて所望の機能の身体防護用品を使用することが出来る、オンデマンド方式の押し畳み身体防護用品に関するものである。
【背景技術】
【０００２】  従来、帽子もしくは、二輪車用ハンドルカバー等を使用する場合、季節或いは天候によって身体防護用品を必要としたり、不要であったり、急な天候の変化に対し所望の機能の防護用品を使用することが困難な場合もあった。
【考案の概要】
【考案が解決しようとする課題】
【０００３】  そのため、季節或いは、天候を予想しながら、予め異なる機能の身体防護用品を別途所持するしかなかった。【０００４】  本考案の目的は、従来の身体防護用品の有する上記問題を解決し、異なる機能の身体防護用品も一体でコンパクトに押し畳んで所持或いは常備し易くした。オンデマンド方式の身体防護用品を提供しようとするものである。
【課題を解決するための手段】
【０００５】  上記課題を解決するため、本考案は、帽子或いは二輪車用ハンドルカバー等の身体防護用品をつづら加工で折り畳んだ形態で、帽子のつば或いはハンドルに装着されており、使  用時に手で開いて、帽子或いはハンドルカバーとして機能する造形に創作するものである。【０００６】  従来市販されているハンドルカバーにおいて、形態を復元可能な造形として装着した例はなかった。【０００７】  しかし本考案において、つづら状に押し畳むことによって、必要に応じて所望の機能を利用でき、天候もしくは強い紫外線等、変化する諸条件に対し実用上簡便となる。
【考案の効果】
【０００８】  身体防護用品を使用する場合において、それを使い分けて所持することが出来ても、常時一体で装備することは出来なかった。【０００９】  しかし、本考案の身体防護用品においては、必要に応じて形態機能を開いて復元させることによって、上記防護用品を常備し易くなり、防護上大きな効果が期待できる。
【図面の簡単な説明】
【００１０】
【図１】本考案の帽子等の基本造形態図
【図２】本考案の帽子、サンバイザーと二輪車用ハンドルカバーの造形態図
【考案を実施するための形態】
【００１１】  本考案は、身体防護用品を復元可能な、つづら状の形態で、使用時は開いて身体防護用品として機能する形態を保持し、再び押し畳むと、元の押し畳み形態を復元することが可能な身体防護用品を造形するものである。
【００１２】  上記、身体防護用品に於ける形態は、両端対称に穴が形成された形成シート素材を複数枚つづら状につながり配置し、全ての中心部に別製のシート素材を接合し、形成シート素材を重ね曲げした形態には、穴にひも材を通し、両端ごとにむすばれている。
【００１３】  上記、形成シート素材のサイズ又、枚数を変えることで、全く異なる機能を持つ身体防護用品を造形することが出来る。その具体例とし、サンバイザー機能付帽子或いは二輪車用ハンドルカバー等が挙げられる。
【実施例１】
【００１４】  帽子に応用した例とし、図１（１）に平面で示す、造形態（ａ）を造形するため、形成シート素材１乃至６を、接合用シート素材７によって、中心線Ａ−Ａ′に対して全く対称となるように（ｅ）の位置で接合し、つづら状に造形された図を示す。【００１５】  形成シート素材１乃至６において、Ｂ−Ｂ′乃至Ｇ−Ｇ′のライン上の両端には、穴（ｄ）が形成されている。【００１６】  図１（２）は、造形態（ａ）をＡ−Ａ′のラインを対称に曲げた両端を、穴（ｄ）でそれぞれ重ね合わせて、ＢからＧにはひも材（ｆ１）を、Ｂ′からＧ′にはひも材（ｆ２）を各一本通してむすぶことにより、図１（２）の（ｂ）が造形される。尚、穴（ｄ）及び、ひも材（ｆ１、ｆ２）によって、可動用穴、可動軸と装着させる機能が、可能となる。【００１７】  図１（３）は、図１（２）の造形態（ｂ）を形成シート素材６から１に向かって、押し畳んだ造形態（ｃ）の形態を示し、造形態を変化させることによって、必要に応じて所望の対応が可能である。【００１８】  図２（１）は、図１（２）の造形態（ｂ）を別製のつば（ｉ）の内側（ｇ）に接合し、造形態（ｂ）とつば（ｉ）が一体となって、帽子（ｋ）が創作されたことを示す。【００１９】  図２（２）は、図２（１）において、造形態（ｃ）のように変化させ、サンバイザーとしての形態を示す。尚、帽子（ｋ）には、別製のヘッドバンド（ｈ）が装着される。
【実施例２】
【００２０】  第２の実施例は、一般に二輪車用ハンドルカバーと呼ばれるものに、本考案の実施例１と同じ造形態（ａ）を適用したものである。【００２１】  図２（３）は、二輪車用ハンドルクリップ（ｊ）に装着した図を示し、造形態（ａ）を形成する形成シート素材のサイズと枚数は、帽子（ｋ）とは異なっている。【００２２】  上記、ハンドルクリップ（ｊ）への装着には、ひも材（ｆ１，ｆ２）を用いれば簡便である。更に、押し畳めば、所望の変化するハンドルカバー（ｌ）が造形される。
【産業上の利用可能性】
【００２３】  本発明の身体防護用品において、異なる機能の上記身体防護用品を押し畳み、複合型にして常備し、季節或いは天候の異なる諸条件に対し、必要に応じて所望の対応が出来るならば、多くの身体防護用品が、本考案によって多機能化して、一体でコンパクトに、し易くなる。
【符号の説明】
【００２４】１、２、３、４、５、６‐‐‐‐‐‐‐‐‐‐‐‐‐‐‐‐‐‐‐‐形成シート素材
１′、２′、３′、４′‐‐‐‐‐‐‐‐‐‐‐‐‐‐‐‐‐‐‐‐形成シート素材
７‐‐‐‐‐‐‐‐‐‐‐‐‐‐‐‐‐‐‐‐‐‐‐‐‐‐‐‐‐‐接合用シート素材
Ａ−Ａ′‐‐‐‐‐‐‐‐‐‐‐‐‐‐‐‐‐‐‐‐‐‐‐‐‐‐‐中心線
Ｂ−Ｂ′、Ｃ−Ｃ′、Ｄ−Ｄ′、Ｅ−Ｅ′、Ｆ−Ｆ′、Ｇ−Ｇ′‐‐穴配置線
ａ‐‐‐造形態平面図      ｂ‐‐‐造形態立体図      ｃ‐‐‐押し畳み造形態側面図
ｄ‐‐‐穴                ｅ‐‐‐シート接合部      ｆ１，ｆ２‐‐‐ひも材
ｇ‐‐‐つば内側          ｈ‐‐‐ヘッドバンド      ｉ‐‐‐つば
ｊ‐‐‐ハンドルクリップ  ｋ‐‐‐帽子取付けベルト  ｌ‐‐‐ハンドルカバー
【図１】
0003178470.tif 000003
【図２】
0003178470.tif 000004
【手続補正書】
【提出日】平成24年6月27日(2012.6.27)
【手続補正１】
【補正対象書類名】実用新案登録請求の範囲
【補正対象項目名】全文
【補正方法】変更
【補正の内容】
【実用新案登録請求の範囲】
【請求項１】
ヘッド部の両端対称に穴が形成された複数枚のシート材を配置し別製の接合用シート材を用いて一枚のシート状に形成し、一端をつばに接合し、更に両端の穴と穴を重ね合わせ、ひも材を通し、つばの端に粘着させた身体防護用品。